(57)【特許請求の範囲】
【請求項１】
汎用画像フォーマットとは異なる形式であって所定のアプリケーションを用いて編集可能な形式の診療情報データを作成または編集し、
作成または編集が完了した前記診療情報データを汎用画像フォーマットとは異なる形式であって所定のアプリケーションを用いて編集可能な形式で情報リポジトリに保存し、
要求に応じて、前記保存された診療情報データを読み出して所定のアプリケーションを用いて編集可能な形式で提供し、
作成または編集が完了した前記診療情報データを汎用画像フォーマットの画像データに変換し、
前記変換された汎用画像フォーマットの画像データを管理リポジトリに保存し、
前記変換された汎用画像フォーマットの画像データのコピーを、書き込み禁止の状態で保存する保存リポジトリに保存し、
参照者からの配信要求に対して前記管理リポジトリに保存された画像データまたは前記管理リポジトリの画像データの参照に障害がある場合に前記保存リポジトリに保存された画像データのコピーを提供することを特徴とする診療情報管理配信方法。
【請求項２】
前記変換された汎用画像フォーマットの画像データのコピーは、前記診療情報データの作成または編集が完了し、前記診療情報データが確定されたタイミングで保存されることを特徴とする請求項１に記載の診療情報管理配信方法。
【請求項３】
作成または編集が完了した前記診療情報データのコピーを、汎用画像フォーマットとは異なる形式であって編集可能な形式で、書き込み禁止の状態で保存する前記保存リポジトリに保存することを特徴とする請求項１または請求項２に記載の診療情報管理配信方法。
【請求項４】
前記診療情報データのコピーは、前記診療情報データの作成または編集が完了し、前記診療情報データが確定されたタイミングで保存されることを特徴とする請求項３に記載の診療情報管理配信方法。
【請求項５】
汎用画像フォーマットでない形式であって所定のアプリケーションを用いて編集可能な形式の診療情報データを作成または編集する入力編集部と、
前記入力編集部において作成または編集した診療情報データを汎用画像フォーマットでない形式であって所定のアプリケーションを用いて編集可能な形式で保存する情報リポジトリ部と、
前記情報リポジトリ部から前記診療情報データを読み出して前記入力編集部に提供する情報インタフェース部と、
前記入力編集部において作成または編集が完了した前記診療情報データを汎用画像フォーマットの画像データに変換するレンダリング部と、
前記レンダリング部において変換された汎用画像フォーマットの画像データを保存する管理リポジトリ部と、
前記レンダリング部において変換された汎用画像フォーマットの画像データのコピーを、書き込み禁止の状態で保存する保存リポジトリ部と
前記管理リポジトリ部における画像データまたは前記管理リポジトリの画像データの参照に障害がある場合に前記保存リポジトリ部における画像データのコピーを読み出して参照端末に提供する参照インタフェース部と、を具備したことを特徴とする診療情報管理配信装置。
【請求項６】
前記変換された汎用画像フォーマットの画像データのコピーは、前記診療情報データの作成または編集が完了し、前記診療情報データが確定されたタイミングで保存されることを特徴とする請求項５に記載の診療情報管理配信装置。
【請求項７】
前記保存リポジトリ部は、作成または編集が完了した前記診療情報データのコピーを汎用画像フォーマットとは異なる形式であって編集可能な形式で、書き込み禁止の状態で保存することを特徴とする請求項５または請求項６に記載の診療情報管理配信装置。
【請求項８】
前記診療情報データのコピーは、前記診療情報データの作成または編集が完了し、前記診療情報データが確定されたタイミングで保存されることを特徴とする請求項７に記載の診療情報管理配信装置。
【請求項９】
前記汎用画像フォーマットが、ＪＰＥＧ形式，ＰＮＧ形式，ＧＩＦ形式またはＰＤＦ形式のいずれかであることを特徴とする請求項５から請求項８のいずれか一項に記載の診療情報管理配信装置。
【発明の詳細な説明】
【技術分野】
【０００１】
本発明は、診療情報管理配信方法および診療情報管理配信装置に関し、さらに詳しくは、利便性，汎用性およびデータ継続性の高い診療情報管理配信方法および診療情報管理配信装置に関する。
【背景技術】
【０００２】
従来、医療各部門の端末で作成されたレポートを該端末が汎用プリントイメージ（例えばＰＤＦ形式）に変換すると共に識別コードを含むファイル名を付して管理装置へ送出し、管理装置がファイル名の識別コードを解読して該識別コードに対応する患者カルテフォルダにプリントイメージを追加する医療情報管理方法が提案されている（例えば、特許文献１参照。）。
【特許文献１】特許第３３２８８８２号公報
【発明の開示】
【発明が解決しようとする課題】
【０００３】
医療各部門の端末で専用アプリケーションにより作成されたレポートのデータは専用アプリケーション固有のフォーマットになっているため、専用アプリケーションがあればレポートを編集できて利便性が高い。しかし、専用アプリケーションがなければ（またバージョンが違えば）レポートを参照することすら出来ず、汎用性およびデータ継続性が低い。
逆に、上記従来の医療情報管理方法では、レポートが汎用プリントイメージに変換されているため、一般のＰＣでレポートを表示可能であり、汎用性およびデータ継続性が高い。しかし、汎用プリントイメージではレポートの編集ができず、利便性が低い。
そこで、本発明の目的は、利便性，汎用性およびデータ継続性の高い診療情報管理配信方法および診療情報管理配信装置を提供することにある。
【課題を解決するための手段】
【０００４】
第１の観点では、本発明は、汎用画像フォーマットでない形式の診療情報データを保管し、前記診療情報データの作成者に対しては前記診療情報データを読み出して提供すると共に前記診療情報データを汎用画像フォーマットの画像データに変換して提供し、前記作成者が確定した診療情報データを汎用画像フォーマットの画像データに変換して保管し、参照者からの配信要求に対して前記画像データを提供することを特徴とする診療情報管理配信方法を提供する。
上記第１の観点による診療情報管理配信方法では、汎用画像フォーマットでない形式の診療情報データを保管し、その診療情報データおよびそれを汎用画像フォーマットの画像データに変換したものを作成者に対して提供するので、汎用画像フォーマットの画像データを確認しながら診療情報データを編集できて利便性が高くなる。また、作成者が確定した診療情報データを汎用画像フォーマットの画像データに変換して保管し、参照者に対して提供するので、一般のＰＣで医療情報を表示可能であり、汎用性およびデータ継続性が高くなる。
【０００５】
第２の観点では、本発明は、前記第１の観点による診療情報管理配信方法において、前記汎用画像フォーマットでない形式が、前記診療情報データを作成したアプリケーションのデータ保存形式であることを特徴とする診療情報管理配信方法を提供する。
上記第２の観点による診療情報管理配信方法では、各診療部門で所望の診療情報データ作成用アプリケーションを使用することが出来る。
【０００６】
第３の観点では、本発明は、前記第１または前記第２の観点による診療情報管理配信方法において、前記汎用画像フォーマットが、ＪＰＥＧ形式，ＰＮＧ形式，ＧＩＦ形式またはＰＤＦ形式のいずれかであることを特徴とする診療情報管理配信方法を提供する。
上記第３の観点による診療情報管理配信方法では、一般のＰＣで診療情報を参照することが出来る。
【０００７】
第４の観点では、本発明は、前記第１から前記第３のいずれかの観点による診療情報管理配信方法において、作成者が診療情報データを確定したタイミングで前記診療情報データおよび前記画像データのコピーを保存することを特徴とする診療情報管理配信方法を提供する。
上記第４の観点による診療情報管理配信方法では、診療情報データおよび画像データのコピーを保存しておくため、障害からの復旧が可能になる。また、作成者が診療情報データを確定したタイミング以外では診療情報データおよび画像データのコピーを保存しないから、不正な書き換えを防止できる。
【０００８】
第５の観点では、本発明は、汎用画像フォーマットでない形式の診療情報データを保管する情報リポジトリ部と、前記診療情報データを汎用画像フォーマットの画像データに変換するレンダリング部と、前記診療情報データの作成者に対しては前記情報リポジトリ部から前記診療情報データを読み出して提供すると共に前記診療情報データを前記レンダリング部で汎用画像フォーマットの画像データに変換して提供する情報インタフェース部と、前記作成者が確定した診療情報データを前記レンダリング部で汎用画像フォーマットの画像データに変換して保管する管理リポジトリ部と、参照者からの配信要求に対して前記管理リポジトリ部から前記画像データを読み出して提供する参照インタフェース部とを具備したことを特徴とする診療情報管理配信装置を提供する。
上記第５の観点による診療情報管理配信装置では、前記第１の観点による診療情報管理配信方法を好適に実施できる。
【０００９】
第６の観点では、本発明は、前記第５の観点による診療情報管理配信装置において、前記汎用画像フォーマットでない形式が、前記診療情報データを作成したアプリケーションのデータ保存形式であることを特徴とする診療情報管理配信装置を提供する。
上記第６の観点による診療情報管理配信装置では、前記第２の観点による診療情報管理配信方法を好適に実施できる。
【００１０】
第７の観点では、本発明は、前記第５または前記第６の観点による診療情報管理配信装置において、前記汎用画像フォーマットが、ＪＰＥＧ形式，ＰＮＧ形式，ＧＩＦ形式またはＰＤＦ形式のいずれかであることを特徴とする診療情報管理配信装置を提供する。
上記第７の観点による診療情報管理配信装置では、前記第３の観点による診療情報管理配信方法を好適に実施できる。
【００１１】
第８の観点では、本発明は、前記第５から前記第７のいずれかの観点による診療情報管理配信装置において、作成者が診療情報データを確定したタイミングで前記診療情報データおよび前記画像データのコピーを保存する保存レポジトリ部を具備したことを特徴とする診療情報管理配信装置を提供する。
上記第８の観点による診療情報管理配信装置では、前記第４の観点による診療情報管理配信方法を好適に実施できる。
【発明の効果】
【００１２】
本発明の診療情報管理配信方法および診療情報管理配信装置によれば、汎用画像フォーマットでない形式の診療情報データを保管し、その診療情報データおよびそれを汎用画像フォーマットの画像データに変換したものを作成者に対して提供するので、汎用画像フォーマットの画像データを確認しながら診療情報データを編集できて利便性が高くなる。また、作成者が確定した診療情報データを汎用画像フォーマットの画像データに変換して保管し、参照者に対して提供するので、一般のＰＣでレポートを表示可能であり、汎用性およびデータ継続性が高くなる。
【発明を実施するための最良の形態】
【００１３】
以下、図に示す実施の形態により本発明をさらに詳細に説明する。なお、これにより本発明が限定されるものではない。
【実施例１】
【００１４】
図１は、実施例１に係る診療情報管理配信システム１００の構成説明図である。
この診療情報管理配信システム１００は、汎用画像フォーマットでない形式の医療情報データを作成するための入力編集端末１と、診療情報データを保管する情報リポジトリ部３と、診療情報データを汎用画像フォーマットの画像データに変換するレンダリング部４と、入力編集端末１に対しては情報リポジトリ部３から診療情報データを読み出して提供すると共にその診療情報データをレンダリング部４で汎用画像フォーマットの画像データに変換して提供する情報インタフェース部２と、入力編集端末１で作成者が確定した診療情報データをレンダリング部４で汎用画像フォーマットの画像データに変換して保管する管理リポジトリ部５と、画像データを参照するための参照端末９と、参照端末９からの配信要求に対して管理リポジトリ部５から画像データを読み出して提供する参照インタフェース部１０と、診療情報データおよび画像データのコピーを保存する保存レポジトリ部７と、保存レポジトリ部７に診療情報データおよび画像データをコピーする保存制御部６と、情報レポジトリ部２および管理リポジトリ部５および保存レポジトリ部７の連携を管理する管理データベース部８とを具備している。
【００１５】
入力編集端末１は、各医療部門が医療情報データを作成するためのシステムであり、市販の電子カルテ作成システムを利用できる。入力編集端末１で作成された医用情報データは、汎用画像フォーマットでない形式、例えばＤＯＣ形式（ＷＯＲＤ形式）である。
入力編集端末１では、次の操作が可能である。
（１）医療情報データを新規に作成する。
（２）情報リポジトリ部３に格納している医療情報データを編集する。
（３）汎用画像フォーマットの画像データを表示する。
【００１６】
情報インタフェース部２は、次の動作を行う。
（１）入力編集端末１を監視し、作成された医療情報データを取り込み、情報リポジトリ部３に格納する。
（２）入力編集端末１からの要求に応じ、情報リポジトリ部３に格納している医療情報データを読み出して、入力編集端末１に渡す。
（３）入力編集端末１からの要求に応じ、情報リポジトリ部３に格納している医療情報データを読み出して汎用画像フォーマットの画像データに変換して返すようにレンダリング部４に指示し、レンダリング部４から返された画像データを入力編集端末１に渡す。
（４）入力編集端末１で確定された（作成完了または編集完了になった）医療情報データを情報リポジトリ部３から読み出して汎用画像フォーマットの画像データに変換して保管するようにレンダリング部４に指示する。
（５）情報リポジトリ部３に格納している医療情報データの管理データを作成し、管理データベース部８に渡す。
（６）情報リポジトリ部３へのアクセス記録を残す。
【００１７】
レンダリング部４は、次の動作を行う。
（１）情報インタフェース部２からの指示に応じて、情報リポジトリ部３に格納している医療情報データを読み出して汎用画像フォーマットの画像データに変換し、情報インタフェース部２に返す。汎用画像フォーマットは、例えばＪＰＥＧ形式，ＰＮＧ形式，ＧＩＦ形式またはＰＤＦ形式のいずれかである。
（２）情報インタフェース部２からの指示に応じて、情報リポジトリ部３に格納している医療情報データを読み出して汎用画像フォーマットの画像データに変換し、管理リポジトリ部５に格納する。
（３）管理リポジトリ部５に格納している画像データの管理データを作成し、管理データベース部８に渡す。
（４）情報リポジトリ部３へのアクセス記録および管理リポジトリ部５へのアクセス記録を残す。
【００１８】
保存制御部６は、次の動作を行う。
（１）入力編集端末１で医療情報データが確定された時、情報リポジトリ３に格納された医療情報データを保存リポジトリ部７にコピーする。また、その医療情報データから変換された汎用画像フォーマットの画像データを管理リポジトリ５から保存リポジトリ部７にコピーする。
なお、不正な改変を防ぐため、オペレーティングシステムを介した一般的な書込プロセスが保存リポジトリ部７への書き込みについては禁止されている。
（２）保存リポジトリ部７に格納している医療情報データおよび画像データの管理データを作成し、管理データベース部８に渡す。
（３）管理リポジトリ部５へのアクセス記録および保存リポジトリ７へのアクセス記録を残す。
【００１９】
管理データベース８は、次の動作を行う。
（１）情報リポジトリ３，管理リポジトリ５および保存リポジトリ７に格納した医療情報データおよび画像データに係る管理データを保管する。
（２）管理リポジトリ５に格納した画像データが破損してないか監視し、破損していなければ管理リポジトリ５に格納した画像データのうちの所望のものを選択するための情報を参照インタフェース１０に渡し、破損していれば保存リポジトリ７に格納した画像データのうちの所望のものを選択するための情報を参照インタフェース１０に渡す。
【００２０】
参照端末９は、医療情報を表示するための端末であり、一般のＰＣを利用できる。
参照端末９では、次の操作が可能である。
（１）管理リポジトリ部５に格納している画像データのうちの所望のものを選択し、表示する。
（２）管理リポジトリ部５に格納している画像データが破損している場合、保存リポジトリ７に格納している画像データのうちの所望のものを選択し、表示する。
【００２１】
管理データベース部８は、次の動作を行う。
（１）参照端末９からの配信要求を受け付ける。
（２）参照端末９からの配信要求に応じ、管理リポジトリ部５に格納している画像データのうちの所望のものを選択するためのデータを参照端末９に渡す。管理リポジトリ部５に格納している画像データが破損している場合、保存リポジトリ７に格納している画像データのうちの所望のものを選択するためのデータを参照端末９に渡す。
（３）選択された画像データを管理リポジトリ部５（または保存リポジトリ７）から読み出して、参照端末９に渡す。
（４）管理リポジトリ部５へのアクセス記録および保存リポジトリ７へのアクセス記録を残す。
【００２２】
実施例１の診療情報管理配信システム１００によれば次の効果が得られる。
（１）汎用画像フォーマットでない形式の診療情報データを保管し、その診療情報データおよびそれを汎用画像フォーマットの画像データに変換したものを入力編集端末１に提供するので、汎用画像フォーマットの画像データを確認しながら診療情報データを編集できて利便性が高くなる。
（２）入力編集端末１で確定された診療情報データを汎用画像フォーマットの画像データに変換して保管し、参照端末９に提供するので、一般のＰＣで医療情報を表示可能であり、汎用性およびデータ継続性が高くなる。
（３）各診療部門で所望の診療情報データ作成用アプリケーションを搭載した入力編集端末１を使用することが出来る。
（４）管理リポジトリ５で障害が生じても、保存リポジトリ７を用いて医療情報を参照することが出来る。
（５）診療情報データおよび画像データのコピーを保存リポジトリ７に保存しておくため、情報リポジトリ３や管理リポジトリ５で障害が生じても復旧が可能になる。
【産業上の利用可能性】
【００２３】
本発明は、病院や地域での診療情報の管理および配信に利用できる。
【図面の簡単な説明】
【００２４】
【図１】実施例１に係る診療情報管理配信装置を示す構成説明図である。
【符号の説明】
【００２５】
１                  入力編集端末
２                  情報インタフェース部
３                  情報リポジトリ部
４                  レンダリング部
５                  管理リポジトリ部
６                  保存制御部
７                  保存リポジトリ部
８                  管理データベース部
９                  参照端末
１０                参照インタフェース部
１００              診療情報管理配信装置
【図１】
0005295486.tif 000002